(57)【要約】      （修正有）【課題】水絞りの作動が省力軽快に実行でき、且つ、水絞り面積を増大して水絞りを効率良く行うことができるようにする水絞りモップを提供する。【解決手段】水絞りモップであって、水絞りモップは棉体から成る清掃部品１と、清掃部品１の上方に跨設されているチャック２と、チャック２の頂部に固設されている握り棒３と、上端が該握り棒３にピボットされていて、引張り動かすことができるよう構成されている凵形棒４と、握り棒３の両側に対象的に設置されていて、上端が凵形棒４の上段にピボットして設置され、下端がチャック２を突き抜いて前記清掃部品１に固設されている２個の連接棒５と、チャック２の前後側下端に対象的に固設されていて、且つ、所定の間隙を形成する２個の心棒６と、心棒６に対象的に設置されていて、その作動面が所定の間隙を有して設置されている数個の水絞り部品７とから成り、水絞り部品７は偏心状でもって心棒６に設置されていて、その作動面は弧形状に形成される。【選択図】図２
0003104486.tif 000002
【実用新案登録請求の範囲】
【請求項１】
水絞りモップであって、該水絞りモップは棉体から成る清掃部品と、該清掃部品の上方に跨設されているチャックと、該チャックの頂部に固設されている握り棒と、上端が該握り棒にピボットされていて、引張り動かすことができるよう構成されている凵形棒と、
前記握り棒の両側に対象的に設置されていて、上端が前記凵形棒の上段にピボットして設置され、下端が前記チャックを突き抜いて前記清掃部品に固設されている２個の連接棒と、前記チャックの前後側下端に対象的に固設されていて、且つ、所定の間隙を形成する２個の心棒と、該心棒に対象的に設置されていて、その作動面が所定の間隙を有して設置されている数個の水絞り部品とから成り、
前記水絞り部品は偏心状でもって前記心棒に設置されていて、その作動面は弧形状に形成され、斯くして、上向きに前記清掃部品を引張り動かした時、前記水絞り部品間の間隙が順次縮小して前記清掃部品内の水分を絞ることができるように構成されたことを特徴とする水絞りモップ。
【請求項２】
上記心棒には数個の止め部と数個の可動部が設けられていて、又、該可動部は前記止め部の間に設けられており、前記水絞り部品には長方形の穴が設けられていて、前記止め部と嵌合するように構成されていることを特徴とする請求項１記載の水絞りモップ。
【請求項３】
上記水絞り部品の横断面は扇形状で、その偏心した所には穴が設けられていることを特徴とする請求項１記載の水絞りモップ。
【請求項４】
上記水絞り部品の横断面は円形状で、その偏心した所には穴が設けられていることを特徴とする請求項１記載の水絞りモップ。
【考案の詳細な説明】
【技術分野】
【０００１】
本考案は水絞りモップに関するものであり、特に、棉体を絞る水絞り部品の作動面が弧形状になっていて、更に、偏心軸を採択することにより水絞りの面積を増大して効率良く水絞りをすることができ、操作が軽便で棉体絞り後の復帰も容易にできる水絞りモップに関するものである。
【背景技術】
【０００２】
図１２及び図１３に示す如く、従来の水絞りモップは、その中には清掃部品１を有し、ベースプレート１１及びその下に設けられている棉体１２とで組成されて床を拭くのに用いる。更に、チャック２を有し、前記清掃部品１の上方に跨設されていて略凵字型の中空体に形成され、その頂部には貫通穴２１が設置されていて、その両側には夫々切欠け口２２が設けられている。又、その下端の前後側には夫々左右アーム２３ａ，２４ａが設けられている。更に又、前記左右アーム２３ａ，２４ａには夫々貫通穴２５ａ，２６ａが設置されていて、両アーム間は開き口２７が形成されている。又、握り棒３があって、前記チャック２の頂部の貫通穴２１内に固設され、手で握持できるように構成されている。更に凵形棒４があって、その上端は前記握り棒３の中段部にピボットされていて、その末端には把手４１が設けられており、該把手によって引張り動かすことができるように形成されている。又、２個の連接棒５があって、対象的に前記握り棒３の両側に設けられ、その上端は前記凵形棒４の上段にピボットされていて、その下端は前記チャック２の左右切欠け口２２を突き抜けて、前記清掃部品１のベースプレート１１上に設置されている。斯くして、前記凵形棒４を引張ることによって前記清掃部品１を連動して上向きに移動させることができる。２個の心棒５６があって、夫々対象的に前記チャック２の前後側の前記左右アーム２３ａ，２４ａの貫通穴に固設されている。又、数個の水絞り部品５７があって、夫々対象的に前記左右アーム２３ａ，２４ａ間の心棒６ａに取り付けられ、所定の間隙を形成している。而して、前記棉体１２がその間隙内に進入した時、転動して前記棉体１２を絞ることができるように構成されている。
【０００３】
そこで、前記棉体１２の水分を絞り出す必要がある場合は片手で前記握り棒３を握り、他方の手で前記凵形棒４の把手４１を上方に引張り、前記連接棒５を連動して前記ベースプレート１１を引張り動かして前記棉体１２を上方に移動させる。而して、前記棉体１２が前記水絞り部品５７の間隙を通過する時、その間隙は固定的で、且つ、前記棉体１２の厚さはその間隙よりも厚いので、前記棉体１２は前記水絞り部品５７によって絞られ、前記棉体１２内の水分は圧出される。水絞りが完成した後、前記連接棒５は元の位置に復帰し、前記棉体１２も元の位置に復帰する。反復して前記凵形棒４を推し引張る動作を行うことによって、前記棉体１２の水絞り作動を完成することができる。
【０００４】
而して、このような水絞りモップの前記水絞り部品５７は全部円形中空管体の機構になっているので、その作動面間の間隙は恒定的で、しかも水絞り面積が比較的小さいので回転引張り水絞り方式を採用しているとはいえ、依然として容易に前記棉体１２の破損を来す上、前記棉体１２が前記水絞り部品５７によって絞られた後も容易に再び吸水をするので水絞りが不徹底である。又、前記棉体１２が絞られている時、容易に前記水絞り部品５７の転動軸の軸心を超過するので元の位置に復帰することが難しい状態である。
【０００５】
上述の原因により、従来の水絞りモップは多くの欠点を有している。本考案人は之に鑑みて積極的に改良の道を求め、無数の設計及び実験を経て遂に本考案に至ったのである。
【考案の開示】
【考案が解決しようとする課題】
【０００６】
本考案の解決しようとする課題は水絞りの作動が省力軽便で、且つ、水絞り面積を増大することができて、水絞りの効果を向上し、然も清掃棉体の破損が少なく、容易に元の位置に復帰することができる水絞りモップを提供する点にある。
【課題を解決するための手段】
【０００７】
本考案は前記の課題を解決する手段として、清掃部品と、チャックと、握り棒と、凵形棒と、２個の連接棒と、夫々対象的に前記チャックの前後側下端に固設されていて、所定の間隙を形成することができる２個の心棒と、夫々対象的に前記心棒に設けられ、その作動面は所定の間隙によって設置することができる数個の水絞り部品とで構成し、前記水絞り部品は偏心して心棒上に設置されていて、その作動面は弧形状になっており、斯くして、上向きに清掃部品を引張り動かした時、前記水絞り部品の作動面間の間隙は逐次縮小して清掃部品内の水分を効率良く絞り出し、且つ、棉体の破損が少なく、水絞り後の復帰も容易にできる水絞りモップを提供するものである。
【考案の効果】
【０００８】
本考案の水絞りモップは水絞り部品の作動面が弧形状になっていて、且つ、偏心軸の方式を採用して水絞りを行うようになっているため、水絞り面積を増大することができて、水絞りを一層効率良く実行できると共に、操作が軽快に行われ水絞り後、棉体の復帰が容易である等の効果を奏する。
【考案を実施するための最良の形態】
【０００９】
本考案は、清掃部品と、チャックと、握り棒と、凵形棒と、２個の連接棒と、夫々対象的に前記チャックの前後側下端に固設されていて、所定の間隙を形成することができる２個の心棒と、夫々対象的に前記心棒に設けられ、その作動面は所定の間隙によって設置することができる数個の水絞り部品とで構成することにより本考案を効率良く実現した。
【実施例】
【００１０】
以下、本発明の一実施を図１乃至図１１に従って説明する。図１〜図２に示す如く、本考案は清掃部品１と、チャック２と、握り棒３と、凵形棒４と、２個の連接棒５と、前記チャック２の下方に設けられていて、所定の間隙を形成し、もって、前記清掃部品１を絞ることができるのに用いる２個の心棒６と、前記２個の心棒６に取り付けられていて転動することができ、もって、前記清掃部品１を絞ることができる数個の水絞り部品７とを含んでいる。上記各部品の組合せにより前記清掃部品１を上方に引張った時、前記水絞り部品７の作動面間の間隙が縮小するので、前記清掃部品１の水分を絞り出すことができる。
【００１１】
前記清掃部品１はベースプレート１１及びその下方に設けられている棉体１２とで組成されている。前記ベースプレート１１は門形状でもって、前記棉体１２の上方を挟んで固定している。前記棉体１２は床を拭くのに用いる。
【００１２】
前記チャック２は前記清掃部品１の上方に跨設されていて、略凵型中空体になっていて、その頂部には貫通穴２１が設けられている。
【００１３】
前記握り棒３は前記チャック２の頂部の前記貫通穴２１に固設されていて、手で握持できるように構成されている。
【００１４】
前記凵形棒４の上端は前記握り棒３の中段部にピボットされていて、その末端には把手４１が設置され、もって引張り動かすことができるように形成されている。
【００１５】
前記２個の連接棒５は対象的に前記握り棒３の両側に設けられている。その上端は前記凵形棒４の上段部にピボットされていて、その下端は前記チャック２の左右側を突き抜けて前記清掃部品１の前記ベースプレート１１に固設されている。よって、前記凵形棒４の引張りを受けて、前記清掃部品１を連動して上方へ移動させることができる。
【００１６】
前記２個の心棒６は対象的に夫々前記チャック２の前後側下端に固設されていて、所定の間隙を形成して前記清掃部品１を絞ることができるようになっている。
【００１７】
前記数個の水絞り部品７は夫々対象的に前記チャック２の前後側の前記心棒６に設置されている。その作動面は所定の間隙を有して設けられていて、前記棉体１２がその間隙内に進入した時、転動して前記棉体１２を絞ることができるようになっている。前記水絞り部品７は偏心状でもって前記心棒６に取り付けられていて、その作動面は弧形状になっている。
【００１８】
上述の各部品の組合せにより、前記棉体１２の水分を絞る必要がある時は、片手で前記握り棒３を握り、他方の手で前記凵形棒４に設けられている把手４１を上方に引張り、前記連接棒５を連動して前記ベースプレート１１を上方へ引張って移動させ、同時に前記棉体１２を連動して移動させることができるのである。前記棉体１２が前記水絞り部品７間の間隙を通過した時、前記棉体１２は前記水絞り部品７によって絞られる。
【００１９】
図３〜４に示す如く、前記心棒６は３個の方形止め部６１及び２個の円形可動部６２を包含している。その中、可動部６２は前記止め部６１の間に設けられている。
【００２０】
図５〜６に示す如く、前記チャック２を側面から見ると凵形に似た状態を呈している。その頂部には貫通穴２１が設けられていて、前記握り棒３と嵌合するのに形成されている。その両側には切欠け口２２が設けられていて、前記連接棒５を設置する時、突きとばすことができるようになっている。その下端の前後側には夫々左右アーム２３，２４が設けられている。又、前記左右アーム２３，２４には夫々貫通穴２５，２６が設置されている。前記貫通穴２５，２６は円形部２５１，２６１及び形部２５２，２６２を有している。前記心棒６を取り付ける時、前記円形部２５１，２６１を前記心棒６の２個の可動部６２と相互に遊嵌できるように形成している。斯くして、前記心棒６は転動することができて水絞りを進行することができる。而して、前記貫通穴２５の方形部２５２，２６２は前記心棒６を設置する時、突き通すことができるようになっている。前記左右アーム２３，２４間は開き口２７を形成していて、前記水絞り部品７を収容するのに用いる。
【００２１】
図７〜８に示す如く、前記水絞り部品７の横断面は扇形状になっていて、その上には作動面７１が設けられている。該作動面７１は弧形状になっており、その上に設けられている突起７２と共に絞りの作動面積及び絞り効果を増加することができるように形成されている。前記水絞り部品７の横断面の偏心位置には穴７３があって、前記心棒６の前記止め部６１と相互に嵌合することができる。前記穴７３は強化リブで構成して前記水絞り部品７を固定し、且つ、容易に脱落しないようにすることができる。当然、前記心棒６は中実のものであってもよい。組立時、前記水絞り部品７の前記穴７３を前記心棒６の前記止め部に嵌め込み、前記作動面７１を外側に位置するように取り付ける。
【００２２】
図１〜２に示す如く、前記棉体１２の水分を絞る時、前記水絞り部品７の前記穴７３がその横断面の偏心位置にあって、且つ、その作動面７１が弧形状になっているので、前記棉体１２がより上向きに移動すると、相対的に前記水絞り部品７の前記作動面７１及び偏心部分はより内側に向かって転動する。よって、相対的に前記水絞り部品７間の間隙が順次縮小するので、前記棉体１２の受ける圧力はより大きくなり水絞りが一層効果的となる。水絞りの動作が完成した後、前記凵形棒４は復帰し、次いで、前記水絞り部品７及び前記棉体１２も復帰する。かかる動作は反復して前記凵形棒４を推し、引張ることにより前記棉体１２の水絞り動作を完成することができる。
【００２３】
図９〜１１は本考案の他の実施例を示す。同図に於いて、水絞り部品８の横断面は円形になっていて、その偏心部には穴８１が設けられている。又、その外縁には作動面８２が設けられている。該作動面８２は弧形状になっていて、その上には突起８３が設けられている。組立時、前記水絞り部品８の前記穴８１を前記心棒６の前記止め部６１に嵌め込んで設置する。
【００２４】
上述を総合すれば、本考案の水絞り部品の取付穴は夫々その横断面の偏心位置に設置されていて、且つ、その作動面は弧形状になっている。よって、棉体が上方へ移動すればするほど、その受ける絞り圧力はより大きくなり、水絞り効果は従来例のものよりも遙に大であり、且つ、水絞り動作が軽快に実行でき、更に、省力的である。この外、本考案は偏心軸の方式を採用して水絞りを行うようになっているので、水絞り時水絞り面積を増大することができる上、棉体が水絞り部品の転動軸心を超過するようなことがないため、棉体が復帰できないような状況が起こらない。
【００２５】
尚、本考案は、本考案の精神を逸脱しない限り種々の改変を為すことができ、そして、本考案が該改変されたものに及ぶことは当然である。
【図面の簡単な説明】
【００２６】
【図１】本考案（水絞りモップ）の正面図。
【図２】本考案の側面図。
【図３】本考案の握り棒の正面図。
【図４】本考案の握り棒の上視図の拡大説明図。
【図５】本考案のチャックの正面図。
【図６】本考案のチャックの側面図。
【図７】本考案の水絞り部品の正面図。
【図８】本考案の水絞り部品の側面図。
【図９】本考案の他の実施例の説明図。
【図１０】図９の水絞り部品の正面図。
【図１１】図９の水絞り部品の側面図。
【図１２】従来のモップの正面図。
【図１３】従来のモップの側面図。
【符号の説明】
【００２７】
１        清掃部品
２        チャック
３        握り棒
４        凵形棒
５        連接棒
６        心棒
７        水絞り部品
１１        ベースプレート
１２        棉体
２１        貫通穴
２２        切欠け口
２３，２４  左右アーム
２５，２６  貫通穴
４１        把手
６１        方形止め部
６２        円形可動部
【図１】
0003104486.tif 000003
【図２】
0003104486.tif 000004
【図３】
0003104486.tif 000005
【図４】
0003104486.tif 000006
【図５】
0003104486.tif 000007
【図６】
0003104486.tif 000008
【図７】
0003104486.tif 000009
【図８】
0003104486.tif 000010
【図９】
0003104486.tif 000011
【図１０】
0003104486.tif 000012
【図１１】
0003104486.tif 000013
【図１２】
0003104486.tif 000014
【図１３】
0003104486.tif 000015